(57)【要約】【課題】配線の変更に容易に対応することが可能な遊技機を提供すること。【解決手段】本発明の遊技機では、機裏側に電気部品が取り付けられ、電気部品に接続された配線束８０ａ〜８０ｃが引き回し経路Ｓ１〜Ｓ３に沿って引き回される。電気部品及び引き回し経路Ｓ１〜Ｓ３は複数存在し、電気部品ごとに配線８１の数が異なる配線束８０ａ〜８０ｃが接続される。電気部品、及び、引き回し経路Ｓ１〜Ｓ３の近傍に位置する遊技機構成部品３１，５０の少なくとも一方には、配線束８０ａ〜８０ｃを保持する配線保持部材７１ａ〜７１ｃを挿し込むための複数の被挿込部９３〜９５が互いに異なる位置に設けられる。各被挿込部９３〜９５の一部のものには、配線保持部材７１ａ〜７１ｃが挿抜可能に挿し込まれ、残りの被挿込部９３〜９５には、配線保持部材７１ａ〜７１ｃが挿し込まれていない。【選択図】図４
2015012993.tif 000002
【特許請求の範囲】
【請求項１】
機裏側に電気部品が取り付けられ、前記電気部品に接続された複数の配線からなる配線束が引き回し経路に沿って引き回される遊技機であって、
前記電気部品及び前記引き回し経路は複数存在し、前記電気部品ごとに前記配線の数が異なる配線束が接続されており、
前記電気部品、及び、前記引き回し経路の近傍に位置する遊技機構成部品の少なくとも一方に、前記配線束を保持する配線保持部材を挿し込むための複数の被挿込部が互いに異なる位置に設けられ、
前記複数の被挿込部の一部のものに、前記配線保持部材が挿抜可能に挿し込まれ、残りの被挿込部には、前記配線保持部材が挿し込まれていない
ことを特徴とする遊技機。
【請求項２】
前記配線保持部材は、
前記被挿込部に挿し込まれる挿込部、及び、前記配線束を保持する保持部を有し、
前記挿込部が互いに共通の大きさ及び形状を有し、かつ、前記保持部によって保持可能な前記配線束の断面積が互いに異なる複数種類の配線保持部材の中から選択したものである
ことを特徴とする請求項１に記載の遊技機。
【請求項３】
前記電気部品及び前記遊技機構成部品の少なくとも一方は、前記被挿込部が設置される複数の被設置面を有し、前記複数の被設置面は互いに交差した状態で構成され、前記被設置面ごとに前記被挿込部の開口方向が異なることを特徴とする請求項１または２に記載の遊技機。
【請求項４】
前記複数の被挿込部は、遊技盤の裏側に配設された裏ユニットの外周部に設けられていることを特徴とする請求項１乃至３のいずれか１項に記載の遊技機。
【請求項５】
前記複数の被挿込部は、平面視円形状をなし、前記配線保持部材を回動可能に保持することを特徴とする請求項１乃至４のいずれか１項に記載の遊技機。
【発明の詳細な説明】
【技術分野】
【０００１】
本発明は、機裏側に電気部品が取り付けられ、電気部品に接続された配線束が引き回し経路に沿って引き回される遊技機に関するものである。
【背景技術】
【０００２】
一般に、遊技機の一種であるパチンコ機は、遊技盤の裏側に配設された裏ユニット等に、可動体や制御基板などの電気部品を有している。そして、これらの電気部品には、複数の配線が接続されるようになっている。なお、複数の配線は、そのままの状態で引き回すことが困難であるため、フックなどの配線保持部材に保持された状態で、引き回されるようになっている。
【０００３】
ところで、機種開発においては、可動体（モータ、ソレノイド等）及び制御基板の搭載数や設置箇所が開発の進行度合に応じて変更されていくため、配線の引き回し経路が変更されたり配線数が増加したりする可能性が高い。よって、開発初期の段階で、最終的に必要になる配線を予測することは困難である。なお、現状では、裏ユニットにおいて配線が通ると予測される箇所に、あらかじめフックを一体形成するようにしている（例えば特許文献１参照）。
【先行技術文献】
【特許文献】
【０００４】
【特許文献１】特開２０１１−１０４２８４号公報（図１３等）
【発明の概要】
【発明が解決しようとする課題】
【０００５】
しかし、特許文献１に記載の従来技術には以下の問題がある。即ち、配線に変更（具体的には、引き回し経路の変更や配線数の増加）が生じると、それに伴って、フックの追加や変更が必要になる可能性がある。この場合、裏ユニットを形成するための金型を修正しなければならないため、配線の変更に対応することが困難である。また、金型の修正が間に合わない場合は、結束バンド等を用いて配線を固定する必要がある。さらに、技術的な問題から、金型を修正できないために、必要な箇所にフックを設けることができない場合もある。
【０００６】
本発明は上記の課題に鑑みてなされたものであり、その目的は、配線の変更に容易に対応することが可能な遊技機を提供することにある。
【課題を解決するための手段】
【０００７】
上記課題を解決するために、請求項１（手段１）では、機裏側に電気部品が取り付けられ、前記電気部品に接続された複数の配線からなる配線束が引き回し経路に沿って引き回される遊技機であって、前記電気部品及び前記引き回し経路は複数存在し、前記電気部品ごとに前記配線の数が異なる配線束が接続されており、前記電気部品、及び、前記引き回し経路の近傍に位置する遊技機構成部品の少なくとも一方に、前記配線束を保持する配線保持部材を挿し込むための複数の被挿込部が互いに異なる位置に設けられ、前記複数の被挿込部の一部のものに、前記配線保持部材が挿抜可能に挿し込まれ、残りの被挿込部には、前記配線保持部材が挿し込まれていないことを特徴とする遊技機をその要旨としている。
【０００８】
従って、請求項１に記載の発明によれば、配線が通ると予測される箇所（即ち、電気部品や遊技機構成部品）に複数の被挿込部が設けられ、複数の被挿込部の一部に、配線保持部材が挿抜可能に挿し込まれている。このため、配線の変更、例えば、引き回し経路の変更や、配線束を構成する配線数の変更等が生じたとしても、必要に応じて、複数の被挿込部の中から選択した被挿込部に対して配線保持部材を挿し込むことにより、上記した配線の変更に容易に対応することができる。
【０００９】
ここで、電気部品としては、遊技機を制御する制御基板や、遊技演出において用いられる可動体（モータ、ソレノイド、ランプ）などが挙げられる。また、遊技機構成部品としては、遊技盤の裏側に配設された裏ユニット、制御基板を収容する基板ケース、外枠、中枠、前枠などが挙げられる。
【００１０】
さらに、被挿込部は、貫通孔であってもよいし、有底の凹部であってもよいが、貫通孔であることが好ましい。なお、配線取付部材は、複数の被挿込部の一部のみに挿し込まれ、全ての被挿込部には挿し込まれないため、使用しない被挿込部が生じるようになる。そこで、例えば、裏ユニットに複数の被挿込部が設けられ、各被挿込部が貫通孔である場合には、使用していない被挿込部を介して裏ユニット内の熱を逃がすことができる。さらに、被挿込部が貫通孔である場合、被挿込部の平面視の形状としては、平面視円形状、平面視楕円形状、平面視三角形状、平面視長方形状、平面視正方形状などを挙げることができる。
【００１１】
また、配線保持部材としては、一部が開放された形状（例えば、略Ｕ字状、略Ｌ字状など）をなすフック部を、配線束を保持する保持部として有するものや、筒部を保持部として有するものなどが挙げられる。なお、複数の配線保持部材が並設され、各配線保持部材がフック部を保持部として有する場合、隣接するフック部を互いに異なる向きに開放させることが好ましい。このようにすれば、１つの配線保持部材のフック部から配線束が外れたとしても、他の配線保持部材のフック部によって配線束が保持され続けるため、配線束の脱落を防止することができる。
【００１２】
さらに、配線保持部材を形成する材料としては特に限定されないが、例えば樹脂材料や金属材料を挙げることができる。なお、柔軟性を有する樹脂材料によって配線保持部材を形成すれば、配線保持部材が破損しにくくなる。また、配線保持部材が柔軟性を有するため、配線保持部材によって配線束を保持する際に配線束に掛かる力が軽減される。しかも、配線束の断面積が大き過ぎる場合であっても、配線保持部材が膨らむことにより、配線束を保持することができる。また、配線保持部材が柔軟性を有することにより、作業者の指（手）に掛かる力が軽減される。ここで、配線保持部材を形成するための樹脂材料の具体例としては、例えば、ポリテトラフルオロエチレン（ＰＴＦＥ）、ポリエチレンテレフタレート（ＰＥＴ）、ポリエーテルエーテルケトン（ＰＥＥＫ）、ポリイミド（ＰＩ）、ポリカーボネート（ＰＣ）などが挙げられる。また、配線保持部材を形成する金属材料としては、例えば、ステンレス、銅、黄銅（真鍮）、アルミニウム、鉄などが挙げられる。
【００１３】
請求項２（手段２）に記載の発明は、請求項１において、前記配線保持部材は、前記被挿込部に挿し込まれる挿込部、及び、前記配線束を保持する保持部を有し、前記挿込部が互いに共通の大きさ及び形状を有し、かつ、前記保持部によって保持可能な前記配線束の断面積が互いに異なる複数種類の配線保持部材の中から選択したものであることをその要旨としている。
【００１４】
従って、請求項２に記載の発明によれば、複数種類の配線保持部材の挿込部が互いに共通の大きさ及び形状を有しているため、互いに配線数が異なる複数種類の配線束が存在する場合には、配線束の種類に応じて適切な保持部を有する配線保持部材を選択すれば、選択した配線保持部材をそのまま被挿込部に挿し込むことができる。つまり、配線保持部材の交換時において、被挿込部の大きさ及び形状を変更しなくても済む。よって、配線束の保持構造を配線束の種類に応じて短時間で変更できるため、配線の変更によりいっそう容易に対応することができる。
【００１５】
請求項３（手段３）に記載の発明は、請求項１または２において、前記電気部品及び前記遊技機構成部品の少なくとも一方は、前記被挿込部が設置される複数の被設置面を有し、前記複数の被設置面は互いに交差した状態で構成され、前記被設置面ごとに前記被挿込部の開口方向が異なることをその要旨としている。
【００１６】
従って、請求項３に記載の発明によれば、隣接する２つの被設置面（の被挿込部）に対して、フック部を有する配線保持部材がそれぞれ挿し込まれる場合に、一方の被設置面に取り付けた配線保持部材のフック部と、他方の被設置面に取り付けた配線保持部材のフック部とを互いに異なる向きに開放させることができる。その結果、１つの配線保持部材のフック部から配線束が外れたとしても、他の配線保持部材のフック部によって配線束が保持され続けるため、配線束の脱落を防止することができる。
【００１７】
ここで、電気部品及び遊技機構成部品の少なくとも一方が、複数の被設置面を有する具体例としては、電気部品である可動体のモータを収容するケースが、被設置面である直交する２面を有することや、遊技機構成部品である裏ユニットが、被設置面である直交する２面によって構成された段差部を外周部に有することや、ケースが直交する２面を有するとともに、裏ユニットが直交する２面からなる段差部を有することなどが挙げられる。
【００１８】
請求項４（手段４）に記載の発明は、請求項１乃至３のいずれか１項において、前記複数の被挿込部は、遊技盤の裏側に配設された裏ユニットの外周部に設けられていることをその要旨とする。
【００１９】
従って、請求項４に記載の発明によれば、裏ユニットの外周部に複数の被挿込部が設けられ、複数の被挿込部の一部に配線保持部材が挿し込まれるようになる。このため、配線の変更が生じたとしても、必要に応じて、複数の被挿込部の中から選択した被挿込部に対して配線保持部材を挿し込むことにより、配線の変更に容易に対応することができる。また、裏ユニットは、機裏側において最も大きな面積を占める部材であるため、被挿込部を容易に設けることができる。
【００２０】
請求項５（手段５）に記載の発明は、請求項１乃至４のいずれか１項において、前記複数の被挿込部は、平面視円形状をなし、前記配線保持部材を回動可能に保持することをその要旨とする。
【００２１】
従って、請求項５に記載の発明によれば、配線保持部材を被挿込部に挿し込んだままの状態で、配線保持部材の向きを変更することができる。
【発明の効果】
【００２２】
以上詳述したように、請求項１〜５に記載の発明によれば、配線の変更に容易に対応することが可能な遊技機を提供することができる。特に、請求項２に記載の発明によれば、配線束の保持構造を配線束の種類に応じて短時間で変更できるため、配線の変更によりいっそう容易に対応することができる。
【図面の簡単な説明】
【００２３】
【図１】本発明におけるパチンコ機を示す概略正面図。
【図２】遊技盤を示す正面図。
【図３】パチンコ機を示す概略背面図。
【図４】裏ユニットを示す要部斜視図。
【図５】（ａ）〜（ｃ）は、配線保持フックを示す正面図。
【図６】他の実施形態における裏ユニットを示す要部斜視図。
【図７】他の実施形態における裏ユニットを示す要部斜視図。
【図８】他の実施形態における配線保持フックを示す正面図。
【発明を実施するための形態】
【００２４】
以下、本発明の遊技機をパチンコ機１０に具体化した一実施形態を図面に基づき説明する。
【００２５】
（１）パチンコ機１０の機表側の概略構成
図１には、パチンコ機１０の機表側が略示されている。このパチンコ機１０は機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（本実施形態では発光ダイオード）を備えた発光手段であり、発光体にレンズ部材を覆い被せることによって構成されている。これらの枠ランプ１６ａ〜１６ｃでは、パチンコ機１０の各種遊技の演出態様（大当り、リーチなど）に応じて点灯（点滅）・消灯などの発光演出が実行されるようになっている。
【００２６】
さらに、図１に示されるように、前枠１４の下部には、下球皿１８が一体的に組み付けられている。下球皿１８の右方には、打球発射装置（図示略）を構成する操作ハンドル１９が装着されている。そして、遊技者が操作ハンドル１９を回動操作すると、上球皿１５に貯留された遊技球は、打球発射装置によって発射されて遊技盤１３の遊技盤面１３ａ（図２参照）上に導かれるようになる。なお、本実施形態では、前枠１４の下部に下球皿１８及び操作ハンドル１９が一体的に組み付けられているが、下球皿１８及び操作ハンドル１９を中枠１２の前面側において前枠１４の下方に組み付けるようにしてもよい。
【００２７】
（２）遊技盤１３の構成
図２に示される遊技盤１３は、ベニヤ板などの木製基板の表面に樹脂製のセルを貼付することによって略矩形板状に形成されている。なお、遊技盤１３は、アクリル樹脂などの樹脂材料の射出成形によって略矩形板状に形成されたものであってもよい。遊技盤１３の遊技盤面１３ａには、遊技球が流下可能な遊技領域を区画する内レール４１ａ及び外レール４１ｂが略円形状に敷設されている。内レール４１ａと外レール４１ｂとの間に生じる発射経路には、操作ハンドル１９を操作した際に発射された遊技球が通過するようになっている。そして、打球発射装置によって発射されて発射経路を通過した遊技球は、発射経路の終端部から遊技領域に進入し、遊技領域内を流下するようになっている。
【００２８】
また、遊技盤面１３ａの略中央部には、開口部６０ａを有する枠状のセンター役物６０が装着されている。なお、遊技盤１３の裏側には、図柄表示装置（図示略）が着脱自在に取り付けられている。図柄表示装置の表示画面は、センター役物６０の開口部６０ａを介して遊技盤１３の前面側から視認可能となっている。なお、本実施形態の図柄表示装置は液晶式であるが、ドットマトリクス式、エレクトロルミネッセンス素子式、７セグメント式、ドラム式の図柄表示装置であってもよい。また、図柄表示装置では、変動画像（または画像表示）に基づく遊技演出（表示演出）が行われるようになっている。そして、図柄表示装置では、表示演出に関連して、複数種類の演出図柄を３列で変動させる演出図柄変動ゲームが表示されるようになっている。
【００２９】
図２に示されるように、遊技盤面１３ａ上におけるセンター役物６０の下方位置には、始動入賞口２１ａが形成された始動入賞装置２１が配設されている。始動入賞装置２１には、一対の羽根部材２１ｂからなる普通電動役物が一体的に構成されている。一対の羽根部材２１ｂは、普通電動役物ソレノイド（図示略）の励磁作用により開閉するようになっている。また、始動入賞装置２１の奥方には、始動入賞口２１ａに入賞した遊技球を検知する始動口スイッチ（図示略）が設けられている。始動口スイッチは、始動入賞装置２１に入賞した遊技球を検知したことを契機として、オン状態となり、入賞信号を出力するようになっている。一方、始動口スイッチは、遊技球を検知していないときにオフ状態となり、入賞信号を出力しなくなる。そして、入賞信号が出力された場合には、特別図柄表示装置２４による特別図柄変動ゲームが行われるとともに、図柄表示装置による演出図柄変動ゲームが行われ、所定数（本実施形態では３個）の賞球の払い出しが行われるようになっている。なお、本実施形態の始動入賞装置２１は、普通電動役物が一体的に構成された電動式のものであるが、普通電動役物を有しない固定式のものであってもよい。
【００３０】
図２に示されるように、遊技盤面１３ａ上における始動入賞装置２１の下方には、遊技盤面１３ａ上を流下する遊技球が入賞可能な大入賞装置２３が配設されている。大入賞装置２３の奥方には、入賞した遊技球を検知するカウントスイッチ（図示略）が設けられている。また、大入賞装置２３の大入賞口扉２３ａは、大入賞口ソレノイド（図示略）の励磁作用により、遊技球を受け入れない閉鎖状態、及び、遊技球を受け入れやすい開放状態に切替可能になっている。本実施形態において、「閉鎖状態」とは大入賞口扉２３ａが完全に閉じている状態をいい、「開放状態」とは大入賞口扉２３ａが完全に開いた状態をいう。なお、カウントスイッチにて遊技球が検知された場合には、所定数（本実施形態では１５個）の賞球の払い出しが行われるようになっている。
【００３１】
また、センター役物６０の左側には、遊技球の通過を検知する機能を有するゲート２５が設けられている。ゲート２５の奥方には、通過した遊技球を検知するゲートスイッチ（図示略）が設けられている。なお、ゲートスイッチにて遊技球が検知された場合に乱数を取得し、取得した乱数が所定の乱数値であるか否かを判定した結果に基づいて普通電動役物ソレノイドが駆動される。このような判定（当り判定）によって普通電動役物の一対の羽根部材２１ｂが開放されるため、始動入賞口２１ａに遊技球が入賞しやすくなる。
【００３２】
図２に示されるように、センター役物６０の右下方には、可視表示部を備えた特別図柄表示装置２４が配設されている。特別図柄表示装置２４では、始動入賞装置２１への遊技球の入賞を契機として、複数種類の特別図柄（図示略）による特別図柄変動ゲームが実行され、該特別図柄変動ゲームの結果として、大当り及びハズレの表示結果が表示されるようになっている。例えば、特別図柄変動ゲームの結果が大当りとなる場合、特別図柄変動ゲームの終了時に、特別図柄として「０」〜「９」の１０通りの数字を示す図柄が表示される。一方、特別図柄変動ゲームの結果がハズレとなる場合、特別図柄変動ゲームの終了時に、特別図柄としてハズレを示す「−」の図柄が表示される。
【００３３】
さらに、本実施形態では、特別図柄表示装置２４での特別図柄変動ゲームに合わせて、図柄表示装置による演出図柄変動ゲームが行われる。具体的には、特別図柄変動ゲームの開始とほぼ同時に演出図柄変動ゲームが開始され、特別図柄変動ゲームの終了（大当りまたはハズレの表示結果が表示）とほぼ同時に演出図柄変動ゲームの結果が表示されるようになっている。
【００３４】
（３）パチンコ機１０の機裏側の概略構成
図３には、パチンコ機１０の機裏側が略示されている。中枠１２の裏面側には、裏部品を組み付けるための機構セット盤３が配設されている。この機構セット盤３の裏面側における上部全体には、遊技球を貯留するための球タンク４が設けられている。球タンク４の内部には、そこから流れ出る遊技球を整列させるタンクレール５が設けられている。斜め右下方向に延びるタンクレール５の下流端（右端）には球供給路６が接続され、球供給路６の下端部には球払出装置７が接続されている。また、球タンク４には、ホールコンピュータ（図示略）とパチンコ機１０とを接続するための枠用外部端子板８が配設されている。枠用外部端子板８は、賞球情報、球貸し情報及び球切れ情報をホールコンピュータに対して送信するようになっている。
【００３５】
また、機構セット盤３の裏面側には、『電気部品』である複数の制御基板（主制御基板１０１、統括制御基板１０２、表示制御基板１０３、音声・ランプ制御基板、払出制御基板、発射制御基板、電源制御基板１０４など）を備えている。なお、払出制御基板は、主制御基板１０１に電気的に接続されており、主制御基板１０１からの払い出し指示に基づいて球払出装置７による遊技球の払い出しを制御するようになっている。また、発射制御基板は、払出制御基板に電気的に接続されており、打球発射装置を構成する操作ハンドル１９の操作状態を検知し、それに基づいて遊技球の発射強度を制御する役割を果たしている。さらに、電源制御基板１０４は、各制御基板（主制御基板１０１、統括制御基板１０２、表示制御基板１０３、音声・ランプ制御基板、払出制御基板、発射制御基板）の動作に必要な複数の電源電圧（本実施形態では３４Ｖまたは５Ｖの直流電圧）を生成する役割を果たしている。電源制御基板１０４は、統括制御基板１０２及び表示制御基板１０３に電気的に接続されており、生成した電源電圧を統括制御基板１０２及び表示制御基板１０３に供給するようになっている。なお、主制御基板１０１、統括制御基板１０２、表示制御基板１０３、電源制御基板１０４は、各々専用の基板ケース５０内に収容されている。
【００３６】
図３，図４に示されるように、遊技盤１３の裏側には、『遊技機構成部品』である裏ユニット３１が遊技盤１３の背面に重ねて配置されている。遊技盤１３及び裏ユニット３１は、複数のネジ（図示略）によって互いに固定されている。裏ユニット３１は、遊技盤１３と略同じ外形を有し、樹脂材料（例えば、無色透明のＡＢＳ樹脂等）の射出成形によって略矩形枠状に形成されている。なお、裏ユニット３１の裏側には、図柄表示装置が着脱自在に取り付けられるようになっている。
【００３７】
また、裏ユニット３１は、正面視略矩形板状の本体部３２と、本体部３２の外周縁から前側に延びる４つの壁部３３，３４，３５，３６とによって箱状に構成されている。さらに、本体部３２の略中央には、図柄表示装置が取り付けられる略矩形状の表示装置取付孔（図示略）が設けられている。表示装置取付孔は、図柄表示装置の表示画面と略同じ大きさ及び形状をなしている。よって、図柄表示装置の表示画面は、表示装置取付孔及びセンター役物６０の開口部６０ａを介して遊技盤１３の前面側から視認可能となる。
【００３８】
図３，図４に示されるように、裏ユニット３１には、主制御基板１０１が収容された基板ケース５０、統括制御基板１０２が収容された基板ケース５０、及び、表示制御基板１０３が収容された基板ケース５０が取り付けられている。なお、本実施形態では、各基板ケース５０のうち、統括制御基板１０２を収容した『遊技機構成部品』である基板ケース５０について説明する。統括制御基板１０２は、表示制御基板１０３及び音声・ランプ制御基板を統括的に制御するためのものであり、ＣＰＵ、ＲＡＭ、ＲＯＭなどの素子や複数のコネクタ５１，５２，５３を表面に備えている。一方、統括制御基板１０２の裏面には、回路パターンが形成されている。
【００３９】
また、基板ケース５０は、無色透明の樹脂材料（本実施形態ではポリカーボネート樹脂）によって形成されている。基板ケース５０は、正面視略矩形状の天井部５４と、正面視略矩形板状の底部（図示略）と、４つの壁部５５とによって略箱状に構成されている。天井部５４は、基板ケース５０に収容された統括制御基板１０２の表面から離間しており、統括制御基板１０２の表面に実装された素子（ＣＰＵなど）に接触しないようになっている。また、天井部５４には、放熱用の貫通孔５４ａが多数形成されている。さらに、天井部５４の周縁部５６には、統括制御基板１０２のコネクタ５１〜５３を露出させるためのコネクタ用開口５７が設けられている。なお、コネクタ５１〜５３は、コネクタ用開口５７を介して周縁部５６から突出するようになる。よって、統括制御基板１０２によって制御される各種部品に接続された配線８１や、他の制御基板等に接続された配線８１を、基板ケース５０の外部から容易に接続することができる。
【００４０】
（４）被挿込孔９３〜９５の構成
図３，図４に示されるように、裏ユニット３１の外周部（図３では右端部）には段差部３７が設けられている。段差部３７は、互いに直交する２つの被設置面９１，９２によって構成されている。被設置面９１は、裏ユニット３１の高さ方向に沿って延びる帯状の領域であり、裏ユニット３１の本体部３２と平行に配置されている。一方、被設置面９２は、裏ユニット３１の高さ方向に沿って延びる帯状の領域であり、裏ユニット３１の壁部３５と平行に配置され、かつ、被設置面９１に対して垂直に配置されている。
【００４１】
そして、各被設置面９１には、『被挿込部』である複数の被挿込孔９３が互いに異なる位置に設けられ、各被設置面９２には、同じく『被挿込部』である複数の被挿込孔９４が互いに異なる位置に設けられている。被挿込孔９３は、平面視円形状をなす貫通孔であり、被設置面９１の長手方向に沿って１０箇所に配置されている。しかも、各被挿込孔９３は、被設置面９１において一直線上に配置されている。また、被挿込孔９４は、平面視円形状をなす貫通孔であり、被設置面９２の長手方向に沿って８箇所に配置されている。しかも、各被挿込孔９４は、被設置面９２において一直線上に配置されている。なお、各被設置面９１，９２は、互いに交差した状態に配置されているため、被設置面９１，９２ごとに被挿込孔９３，９４の開口方向が異なっている。さらに、被設置面９１に設けられた被挿込孔９３、及び、被設置面９２に設けられた被挿込孔９４は、互いに被設置面９１，９２の長手方向にずらして配置されている。また、統括制御基板１０２を収容した基板ケース５０にも、『被挿込部』である被挿込孔９５が設けられている。被挿込孔９５は、平面視円形状をなす貫通孔であり、基板ケース５０の壁部５５において１箇所に配置されている。なお、各被挿込孔９３〜９５の内径は、共通の大きさに設定され、本実施形態では５．０ｍｍに設定されている。また、被挿込孔９３〜９５の内径は、被設置面９１，９２の幅よりも小さく、かつ、放熱用の貫通孔５４ａよりも大きくなっている。
【００４２】
（５）配線保持フック７１ａ〜７１ｃの構成
図３〜図５に示されるように、各被挿込孔９３〜９５には、『配線保持部材』である配線保持フック７１ａ，７１ｂ，７１ｃが回動可能に保持されている。詳述すると、被設置面９１に設けられた１０個の被挿込孔９３のうち、２個の被挿込孔９３に配線保持フック７１ａ，７１ｂが挿抜可能に挿し込まれる一方、残り８個の被挿込孔９３には、配線保持フックが挿し込まれないようになっている。配線保持フック７１ａは、コネクタ５３の近傍に位置する被挿込孔９３に挿し込まれ、配線保持フック７１ｂは、コネクタ５２の近傍に位置する被挿込孔９３に挿し込まれている。また、被設置面９２に設けられた８個の被挿込孔９４のうち、１個の被挿込孔９４に配線保持フック７１ｃが挿抜可能に挿し込まれる一方、残り７個の被挿込孔９４には、配線保持フックが挿し込まれないようになっている。配線保持フック７１ｃは、コネクタ５１の近傍に位置する被挿込孔９４に挿し込まれている。さらに、壁部５５に設けられた１個の被挿込孔９５には、配線保持フックが挿し込まれないようになっている。即ち、本実施形態では、配線保持フック７１ａ〜７１ｃが挿し込まれる被挿込孔９３，９４の数（３個）よりも、配線保持フック７１ａ〜７１ｃが挿し込まれていない被挿込孔９３〜９５の数（１６個）の方が多くなっている。
【００４３】
図４，図５に示されるように、各配線保持フック７１ａ〜７１ｃは、柔軟性を有する樹脂材料（例えば、ポリエチレンテレフタレート樹脂等）の射出成形によって形成されている。各配線保持フック７１ａ〜７１ｃは、裏ユニット３１とは別体に形成されており、挿込部７２と、『保持部』であるフック部７３とを有している。挿込部７２は、板部７４、挿入片７５及び一対の位置決め片７６を備え、被挿込孔９３〜９５に挿し込まれるようになっている。板部７４は、上面にフック部７３が接続されるとともに、位置決め片７６を介して裏ユニット３１の被設置面９１，９２や基板ケース５０の壁部５５の外側面に当接しうるようになっている。挿入片７５は、板部７４の裏面側（フック部７３とは反対側）に突出している。挿入片７５には、先端部から基端部に行くに従って互いに離間する一対の係合片７５ａが形成され、両係合片７５ａは互いに接離可能となっている。
【００４４】
図４，図５に示されるように、フック部７３は、挿込部７２から延びる延出部７７と、延出部７７の先端部に接続される球状部７８とを備え、一部が開放された略円環状をなしている。なお、本実施形態では、各配線保持フック７１ａ〜７１ｃのフック部７３が互いに異なる向きに開放している。具体的に言うと、配線保持フック７１ａのフック部７３は、被設置面９１において被挿込孔９３よりも被設置面９２側の領域に向かって開放している。配線保持フック７１ｂのフック部７３は、被設置面９１において被挿込孔９３よりも裏ユニット３１の壁部３５側の領域に向かって開放している。配線保持フック７１ｃのフック部７３は、被設置面９２において被挿込孔９４よりも被設置面９１側の領域に向かって開放している。
【００４５】
また、フック部７３は、延出部７７によって構成される略円環状の空間内に配線束８０ａ，８０ｂ，８０ｃを通過させることにより、配線束８０ａ〜８０ｃを保持するようになっている。なお、配線束８０ａは、統括制御基板１０２のコネクタ５３及び音声・ランプ制御基板のコネクタに接続された３本の配線８１からなり、コネクタ５３と音声・ランプ制御基板のコネクタとを繋ぐ引き回し経路Ｓ１に沿って引き回されるとともに、配線保持フック７１ａのフック部７３に保持されるようになっている。また、配線束８０ｂは、統括制御基板１０２のコネクタ５２及び表示制御基板１０３のコネクタに接続された３本の配線８１からなり、コネクタ５２と表示制御基板１０３のコネクタとを繋ぐ引き回し経路Ｓ２に沿って引き回されるとともに、配線保持フック７１ｂのフック部７３に保持されるようになっている。さらに、配線束８０ｃは、統括制御基板１０２のコネクタ５１及び主制御基板１０１のコネクタに接続された４本の配線８１からなり、コネクタ５１と主制御基板１０１のコネクタとを繋ぐ引き回し経路Ｓ３に沿って引き回されるとともに、配線保持フック７１ｃのフック部７３に保持されるようになっている。即ち、本実施形態では、引き回し経路が複数存在しており、制御基板ごとに配線８１の数が異なる配線束８０ａ〜８０ｃが接続されている。
【００４６】
なお、本実施形態の配線保持フックは、保持する配線束の断面積に応じて、３種類の配線保持フック７１ａ〜７１ｃの中から選択したものである。具体的に言うと、配線保持フック７１ａ（図５（ａ）参照）は、フック部７３によって３つの配線束８０ａ〜８０ｃを保持する場合、即ち、配線束全体の断面積が２９ｍｍ２以上３７．５ｍｍ２以下である場合に選択されるようになっている。なお、フック部７３によって２つの配線束８０ｂ，８０ｃを保持する場合、即ち、配線束全体の断面積が２３ｍｍ２以上２７ｍｍ２以下である場合には、配線保持フック７１ｂ（図５（ｂ）参照）が選択される。さらに、フック部７３によって１つの配線束８０ｃを保持する場合、即ち、配線束全体の断面積が１９ｍｍ２以上２２ｍｍ２以下である場合には、配線保持フック７１ｃ（図５（ｃ）参照）が選択される。即ち、配線保持フックは、フック部７３によって保持可能な配線束全体の断面積（換言すると、フック部７３の内径）が互いに異なる３種類の配線保持フック７１ａ〜７１ｃの中から選択したものである。なお、挿込部７２は、配線保持フック７１ａ〜７１ｃごとに互いに共通の大きさ及び形状を有している。
【００４７】
次に、配線保持フック７１ａ〜７１ｃの使用方法を説明する。
【００４８】
まず、配線保持フック７１ａを、裏ユニット３１の被設置面９１に設けられた複数の被挿込孔９３のうち、最も下側（図４では左側）に位置する被挿込孔９３に対して挿入する。詳述すると、配線保持フック７１ａの挿入片７５を被挿込孔９３に挿入すると、一対の係合片７５ａが互いに接近する方向に変形する。そして、被挿込孔９３への挿入片７５の挿入が完了すると、両係合片７５ａが互いに離間して被挿込孔９３の裏面側の開口端面に係止し、配線保持フック７１ａが裏ユニット３１に取り付けられる。同様に、配線保持フック７１ｂを、複数の被挿込孔９３のうち、下から２番目に位置する被挿込孔９３に対して挿入する。さらに、配線保持フック７１ｃを、裏ユニット３１の被設置面９２に設けられた複数の被挿込孔９４のうち、上から６番目に位置する被挿込孔９４に対して挿入する。
【００４９】
次に、各配線保持フック７１ａ〜７１ｃを被挿込孔９３〜９５に挿し込んだままの状態で、配線保持フック７１ａ〜７１ｃのフック部７３を保持して回動させることにより、配線保持フック７１ａ〜７１ｃの向きを変更する。その結果、各配線保持フック７１ａ〜７１ｃのフック部７３が、互いに異なる向きに開放するようになる。次に、配線保持フック７１ａのフック部７３（延出部７７）によって構成される略円環状の空間内に対して、フック部７３の開口端部から３つの配線束８０ａ〜８０ｃを挿入させる。また、配線保持フック７１ｂのフック部７３によって構成される略円環状の空間内に対して、フック部７３の開口端部から２つの配線束８０ｂ，８０ｃを挿入させる。さらに、配線保持フック７１ｃのフック部７３によって構成される略円環状の空間内に対して、フック部７３の開口端部から１つの配線束８０ｃを挿入させる。その結果、各配線保持フック７１ａ〜７１ｃのフック部７３に配線束８０ａ〜８０ｃが保持される。
【００５０】
従って、本実施形態によれば以下の効果を得ることができる。
【００５１】
（１）本実施形態のパチンコ機１０では、配線８１が通ると予測される箇所（即ち裏ユニット３１）に複数の被挿込孔９３〜９５が設けられ、各被挿込孔９３〜９５の一部に、配線保持フック７１ａ〜７１ｃが挿通可能に挿し込まれている。このため、配線８１の変更、例えば、引き回し経路Ｓ１〜Ｓ３の変更や、配線束８０ａ〜８０ｃを構成する配線８１の数の変更等が生じたとしても、必要に応じて、各被挿込孔９３〜９５の中から選択した被挿込孔に対して配線保持フック７１ａ〜７１ｃを挿し込むことにより、上記した配線８１の変更に容易に対応することができる。
【００５２】
（２）本実施形態の配線保持フック７１ａ〜７１ｃは、複数の被挿込孔９３〜９５の一部のみに挿し込まれ、全ての被挿込孔９３〜９５には挿し込まれないため、使用しない被挿込孔９３〜９５が生じるようになる。よって、配線８１の変更（配線数の増加等）に伴って、配線保持フック７１ａ〜７１ｃの追加が必要になったとしても、追加された配線保持フック７１ａ〜７１ｃを使用していない被挿込孔９３〜９５に挿し込むことにより、配線８１の変更に対応することができる。ゆえに、裏ユニット３１を形成するための金型を修正しなくても済むため、低コスト化や開発期間の短縮化を図ることができる。
【００５３】
（３）裏ユニット３１内には、図柄表示装置や基板などの発熱する部品が収容されているため、裏ユニット３１内に熱がこもりやすい。そこで、本実施形態では、配線保持フック７１ａ〜７１ｃが挿し込まれない被挿込孔９３〜９５を生じさせている。しかも、配線保持フック７１ａ〜７１ｃが挿し込まれる被挿込孔９３，９４の数（２個）よりも、配線保持フック７１ａ〜７１ｃが挿し込まれていない被挿込孔９３〜９５の数（１６個）の方を多くしている。その結果、使用していない被挿込孔９３〜９５を介して、裏ユニット３１内の熱を確実に逃がすことができる。
【００５４】
（４）本実施形態では、被挿込孔９３〜９５の内径が、被設置面９１，９２の幅よりも小さく、かつ、放熱用の貫通孔５４ａよりも大きくなっている。このため、使用していない被挿込孔９３〜９５を介して、裏ユニット３１内の熱や基板ケース５０内の熱を確実に逃がしつつ、被挿込孔９３，９４が設けられた裏ユニット３１の強度や、被挿込孔９５が設けられたセンター役物５０の強度を確保することができる。
【００５５】
（５）特許文献１に記載の従来技術では、裏ユニットにおいて配線が通ると予測される箇所に、あらかじめフックを一体形成しているが、一体形成されたフックが破損した場合には、裏ユニット自体が使用不能となってしまう。そこで、本実施形態では、被挿込孔９３〜９５に対して配線保持フック７１ａ〜７１ｃを挿抜可能に挿し込むようにしている。その結果、配線保持フック７１ａ〜７１ｃが破損したとしても、配線保持フック７１ａ〜７１ｃの交換のみで裏ユニット３１を再使用することができるため、省資源化への貢献が可能となる。
【００５６】
なお、本実施形態を以下のように変更してもよい。
【００５７】
・上記実施形態では、配線束８０ａ〜８０ｃを保持する『配線保持部材』として、３種類の配線保持フック７１ａ〜７１ｃが用いられていたが、配線量（保持する配線束の断面積）に応じて、組み合わせを適宜変更することができる。なお、配線量に関係なく、全て同一の配線保持フックを用いるようにしてもよい。
【００５８】
・上記実施形態では、配線束８０ａ〜８０ｃを保持する『配線保持部材』として、配線保持フック７１ａ〜７１ｃが用いられていた。しかし、図６，図７に示されるように、配線保持フック７１ｃを『配線保持部材』である結束バンド１２１などに変更してもよい。なお、結束バンド１２１は、被挿込孔９４及び被挿込孔９３を挿通しており、結束バンド１２１によって構成される環状の空間内に配線束８０ｃを挿通させることにより、配線束８０ｃを保持するようになっている。
【００５９】
・上記実施形態では、３つの配線保持フック７１ａ〜７１ｃによって配線束８０ａ〜８０ｃが保持されるようになっていたが、配線束８０ａ〜８０ｃを保持する部材をさらに追加してもよい。例えば、図７に示されるように、壁部５５に設けられた被挿込孔９５に、配線束８０ｃを保持する『配線保持部材』である配線保持フック１２２を挿し込むようにしてもよい。また、裏ユニット３１において被挿込孔９３〜９５とは別の箇所に、略Ｌ字状をなすフックなどを一体形成するようにしてもよい。
【００６０】
・上記実施形態では、一部が開放された形状をなすフック部７３を備える配線保持フック７１ａ〜７１ｃが用いられていた。しかし、図８に示されるように、開閉部１１２を有する保持部１１１を備えた『配線保持部材』である配線保持フック１１０を用いてもよい。なお、開閉部１１２は、ヒンジ部１１２ａを介して板部１１３に接続されており、ヒンジ部１１２ａを中心として開放位置（図８の一点鎖線参照）及び閉鎖位置（図８の実線参照）に回動するようになっている。また、板部１１３の一端部（図８では左端部）から延びる突出部１１４の先端部には係合孔１１５が設けられ、開閉部１１２の先端部には係合片１１６が設けられている。係合片１１６は、開閉部１１２が閉鎖位置に回動した際に、係合孔１１５に係合するようになっている。
【００６１】
・上記実施形態では、裏ユニット３１の被設置面９１に１０個の被挿込孔９３が配置されていたが、被設置面９１に配置される被挿込孔９３の数は、９個以下であってもよいし１１個以上であってもよい。同様に、裏ユニット３１の被設置面９２には８個の被挿込孔９４が配置されていたが、被設置面９２に配置される被挿込孔９４の数は、７個以下であってもよいし、９個以上であってもよい。また、基板ケース５０の壁部５５に１個の被挿込孔９５が配置されていたが、壁部５５に配置される被挿込孔９５の数は２個以上であってもよい。さらに、被挿込孔を、被設置面９１，９２及び壁部５５のうち少なくとも１つに配置してもよいし、被設置面９１，９２及び壁部５５とは別の箇所に配置してもよい。
【００６２】
・上記実施形態では、配線保持フック７１ａ〜７１ｃが挿し込まれる被挿込孔９３，９４の数（３個）よりも、配線保持フック７１ａ〜７１ｃが挿し込まれていない被挿込孔９３〜９５の数（１６個）の方が多くなっていた。しかし、配線保持フック７１ａ〜７１ｃが挿し込まれていない被挿込孔の数よりも、配線保持フック７１ａ〜７１ｃが挿し込まれる被挿込孔の数の方が多くなっていてもよいし、配線保持フック７１ａ〜７１ｃが挿し込まれていない被挿込孔の数と配線保持フック７１ａ〜７１ｃが挿し込まれる被挿込孔の数とが等しくてもよい。
【００６３】
・上記実施形態において、被設置面９１に設けられた被挿込孔９３を、等間隔に配置してもよいし、千鳥状に配置してもよい。同様に、被設置面９２に設けられた被挿込孔９４を、等間隔に配置してもよいし、千鳥状に配置してもよい。
【００６４】
・上記実施形態では、被設置面９１，９２及び壁部５５に被挿込孔９３〜９５が設けられていたが、別の箇所に被挿込孔を設けるようにしてもよい。例えば、可動体のモータなどに、被挿込孔を設けるようにしてもよい。この場合、被挿込孔に挿し込まれた配線保持フックは、モータに接続された２本の配線からなる配線束を保持するようになる。
【００６５】
次に、特許請求の範囲に記載された技術的思想のほかに、前述した実施形態によって把握される技術的思想を以下に列挙する。
【００６６】
（１）上記手段１乃至５のいずれか１つにおいて、前記配線保持部材が挿し込まれる被挿込部の数よりも、前記配線保持部材が挿し込まれていない被挿込部の数の方が多いことを特徴とする遊技機。
【００６７】
（２）上記手段３において、前記被挿込部は、前記被設置面において一直線上に配置されていることを特徴とする遊技機。
【００６８】
（３）上記手段１乃至５のいずれか１つにおいて、前記複数の被挿込部は貫通孔であることを特徴とする遊技機。
【００６９】
（４）上記手段１乃至５のいずれか１つにおいて、前記複数の被挿込部の数は、１０個以上３０個以下であることを特徴とする遊技機。
【００７０】
（５）機裏側に電気部品が取り付けられ、前記電気部品に接続された複数の配線からなる配線束が引き回し経路に沿って引き回される遊技機であって、前記電気部品及び前記引き回し経路は複数存在し、前記電気部品ごとに前記配線の数が異なる配線束が接続されており、前記電気部品、及び、前記引き回し経路の近傍に位置する遊技機構成部品の少なくとも一方に、前記配線束を保持する配線保持部材を挿し込むための複数の被挿込部が互いに異なる位置に設けられ、前記複数の被挿込部の一部のものに、前記配線保持部材が挿抜可能に挿し込まれることを特徴とする遊技機。
【００７１】
（６）機裏側に電気部品が取り付けられ、前記電気部品に接続された複数の配線からなる配線束が引き回し経路に沿って引き回される遊技機であって、前記電気部品及び前記引き回し経路は複数存在し、前記電気部品ごとに前記配線の数が異なる配線束が接続されており、前記電気部品、及び、前記引き回し経路の近傍に位置する遊技機構成部品の少なくとも一方に、前記配線束を保持する配線保持部材を挿し込むための複数の被挿込部が互いに異なる位置に設けられ、前記複数の被挿込部は、前記配線保持部材が挿抜可能に挿し込まれる第１被挿込部と、前記配線保持部材が挿し込まれない第２被挿込部とからなることを特徴とする遊技機。
【符号の説明】
【００７２】
１０…遊技機としてのパチンコ機
１３…遊技盤
３１…遊技機構成部品としての裏ユニット
５０…遊技機構成部品としての基板ケース
７１ａ，７１ｂ，７１ｃ，１１０，１２２…配線保持部材としての配線保持フック
７２…挿込部
７３…保持部としてのフック部
８０ａ，８０ｂ，８０ｃ…配線束
８１…配線
９３，９４，９５…被挿込部としての被挿込孔
９１，９２…被設置面
１０１…電気部品としての主制御基板
１０２…電気部品としての統括制御基板
１０３…電気部品としての表示制御基板
１０４…電気部品としての電源制御基板
１１１…保持部
１２１…配線保持部材としての結束バンド
Ｓ１，Ｓ２，Ｓ３…引き回し経路
【図１】
2015012993.tif 000003
【図２】
2015012993.tif 000004
【図３】
2015012993.tif 000005
【図４】
2015012993.tif 000006
【図５】
2015012993.tif 000007
【図６】
2015012993.tif 000008
【図７】
2015012993.tif 000009
【図８】
2015012993.tif 000010